(57)【要約】【課題】パッケージの品質を低下させずに糸継作業を迅速に行うことができる繊維機械を提供する。【解決手段】自動ワインダは、糸を巻き取る巻取部と、巻取部に巻き取られる前の糸を貯留できるアキュムレータ６１と、糸継作業を行うためのスプライサ装置１４と、スプライサ装置１４より下流側の糸端を捕捉してスプライサ装置１４に案内するための下流側糸案内パイプ２６と、を備える。下流側糸案内パイプ２６は、前記糸端を捕捉する捕捉位置と、捕捉した糸端をスプライサ装置１４に案内する案内位置と、の間で移動可能に構成されるとともに、通常時は前記捕捉位置の近傍で待機する。下流側糸案内パイプ２６は、前記捕捉位置において、前記スプライサ装置１４と前記アキュムレータ６１との間に位置する糸を捕捉可能に構成される。【選択図】図２
2010047360.tif 000002
【特許請求の範囲】
【請求項１】
糸を巻き取る巻取部と、
前記巻取部に巻き取られる前の糸を貯留できる糸貯留装置と、
糸継作業を行うために、前記糸貯留装置の上流側に配置される糸継手段と、
前記糸継手段より下流側の糸端を捕捉して前記糸継手段に案内するために、前記糸端を捕捉する捕捉位置と、捕捉した糸端を前記糸継手段に案内する案内位置と、の間で移動可能に構成されるとともに、通常時は前記捕捉位置又はその近傍で待機する糸捕捉手段と、
を備え、
前記捕捉位置の前記糸捕捉手段によって、前記糸継手段と前記糸貯留装置との間に位置する糸を捕捉可能に構成されていることを特徴とする繊維機械。
【請求項２】
請求項１に記載の繊維機械であって、
前記巻取部は糸を綾振りしながら巻き取るように構成されており、
前記糸捕捉手段は、糸を吸引捕捉するための吸引口を有し、
前記吸引口は、前記巻取部の綾振幅より小さい幅で形成されることを特徴とする繊維機械。
【請求項３】
請求項２に記載の繊維機械であって、
前記糸貯留装置は、導入される糸の経路を案内するための導入案内部を有し、
前記捕捉位置は、前記導入案内部の近傍であることを特徴とする繊維機械。
【請求項４】
請求項１から３までの何れか一項に記載の繊維機械であって、
前記糸捕捉手段は、前記糸継手段を囲むループ状の軌跡を描いて、前記捕捉位置から前記案内位置を経由して前記捕捉位置又はその近傍に戻ることを特徴とする繊維機械。
【請求項５】
請求項４に記載の繊維機械であって、
前記糸捕捉手段は３６０度回転可能に構成されることを特徴とする繊維機械。
【請求項６】
請求項１から５までの何れか一項に記載の繊維機械であって、
前記糸継手段の上流側の糸端を捕捉して前記糸継手段に案内するための上流側糸捕捉手段を備えることを特徴とする繊維機械。
【発明の詳細な説明】
【技術分野】
【０００１】
本発明は繊維機械に関するものであり、詳細には、糸継作業における糸端の捕捉に関するものである。
【背景技術】
【０００２】
特許文献１は、糸継手段を備えた自動ワインダ（繊維機械）を開示する。特許文献１の自動ワインダは、下方に固定したボビンの糸を、綾振ドラムに圧接して回転するパッケージに巻き取るように構成されている。この自動ワインダにおいて、糸切れ時にはノッターあるいはスプライサ等の糸継装置に設けたサクションノズル及びサクションマウスを回動し、サクションノズルによってボビン側の下糸の糸端を吸引し把握するとともに、サクションマウスによってパッケージの表面の上糸の糸端を吸引し把握する。そして、サクションノズル及びサクションマウスを回動させることで、両方の糸を糸継手段に導入して糸継ぎを行っている。また、特許文献１の自動ワインダにおいては、綾振装置は綾振り幅を変更可能に構成されるとともに、前記サクションマウスの開口幅を最大の綾振り幅とほぼ等しく設定している。
【特許文献１】実開平５−３２６９号公報
【０００３】
また、上記のような構成とは別に、糸切れが発生したときに巻取作業を中断させることなく糸継作業を行う糸巻取機が特許文献２に開示されている。特許文献２に開示された糸巻取機は、給糸ボビンから引き出された糸を貯留容器に貯留し、糸切れが発生したときには、貯留された糸を使用して糸継作業を行って巻取作業を継続する。
【特許文献２】米国特許第３３１４６２１号明細書
【発明の開示】
【発明が解決しようとする課題】
【０００４】
しかしながら、特許文献１のようにパッケージの表面上の糸端をサクションマウスによって吸引捕捉する構成の場合、サクションマウスの吸引力によってパッケージの表面部分が引っ張られて綾乱れが発生することがあった。また、パッケージでの糸端の捕捉時に端面落ち等が生じて糸継作業がスムーズに行えないこともあった。また、サクションマウスの開口幅を幅広に形成しているため、吸引捕捉に大きな圧力が必要となり、負圧源の容量の増大やランニングコストの上昇等の原因となっていた。
【０００５】
また、特許文献２が開示する糸巻取機は、貯留された糸を使用して糸継作業を行ってパッケージの巻取作業を継続できるものの、糸端の捕捉の効率化という観点から改善の余地があった。
【０００６】
本発明は以上の事情に鑑みてなされたものであり、その目的は、パッケージの品質を低下させずに、糸継作業を迅速に行うことができる繊維機械を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の繊維機械が提供される。即ち、この繊維機械は、巻取部と、糸貯留装置と、糸継手段と、糸捕捉手段と、を備える。前記巻取部は糸を巻き取る。前記糸貯留装置は前記巻取部に巻き取られる前の糸を貯留できる。前記糸継手段は、糸継作業を行うために、前記糸貯留装置の上流側に配置される。前記糸捕捉手段は、前記糸継手段より下流側の糸端を捕捉して前記糸継手段に案内する。この糸捕捉手段は、前記糸端を捕捉する捕捉位置と、捕捉した糸端を前記糸継手段に案内する案内位置と、の間で移動可能に構成されるとともに、通常時は前記捕捉位置又はその近傍で待機する。そして、繊維機械は、前記捕捉位置の前記糸捕捉手段によって、前記糸継手段と前記糸貯留装置との間に位置する糸を捕捉可能に構成されている。
【０００９】
これにより、糸継作業が必要になった場合、捕捉位置での糸の捕捉を糸捕捉手段が素早く開始することができる。従って、糸継作業のサイクルタイムを短縮することができ、繊維機械の稼動効率を向上させることができる。また、巻取部による巻取りを継続しながら、糸貯留装置から糸を引き出して糸継作業を行うことができる。更に、糸継作業に必要な糸は巻取部ではなく糸貯留装置から引き出されるので、巻取部で巻き取る糸が乱れるなどの悪影響を抑制し、又はゼロにすることができる。
【００１０】
前記の繊維機械においては、以下のように構成されることが好ましい。即ち、前記繊維機械の前記巻取部は糸を綾振りしながら巻き取るように構成されている。前記糸捕捉手段は、糸を吸引捕捉するための吸引口を有する。前記吸引口は、前記巻取部の綾振幅より小さい幅で形成される。
【００１１】
これにより、吸引口を小さくできるので、糸捕捉手段を容易に小型化できるとともに、吸引捕捉に必要な圧力を低減して省エネルギーを実現することができる。
【００１２】
前記の繊維機械においては、以下のように構成されることが好ましい。即ち、前記糸貯留装置は、導入される糸の経路を案内するための導入案内部を有する。前記捕捉位置は、前記導入案内部の近傍である。
【００１３】
これにより、糸貯留装置に導入される糸の経路を導入案内部が案内（規制）することによって、糸継作業時において糸端を一定の狭い領域に存在させることができる。従って、小型の吸引口でも糸端の捕捉を容易に行うことができ、捕捉成功率を向上させることができる。
【００１４】
前記の繊維機械においては、前記糸捕捉手段は、前記糸継手段を囲むループ状の軌跡を描いて、前記捕捉位置から前記案内位置を経由して前記捕捉位置又はその近傍に戻ることが好ましい。
【００１５】
これにより、糸捕捉手段は糸を糸継手段に案内した後、糸継手段の反対側に回り込むようにして、案内位置から通常時の位置に戻ることができる。従って、糸継手段による糸継ぎが完了した後でも、糸と干渉することなく糸捕捉手段を通常時の位置に戻すことができる。
【００１６】
前記の繊維機械においては、前記糸捕捉手段は３６０度回転可能に構成されることが好ましい。
【００１７】
これにより、前記糸捕捉手段を回転させる簡易な構成で、糸捕捉手段を糸に干渉することなく移動させることができる。
【００１８】
前記の繊維機械においては、前記糸継手段の上流側の糸端を捕捉して前記糸継手段に案内するための上流側糸捕捉手段を備えることが好ましい。
【００１９】
これにより、下流側の糸端を糸捕捉手段によって迅速に捕捉して糸継手段に案内するとともに、上流側の糸端を上流側糸捕捉手段によって捕捉して糸継手段に案内することができる。従って、糸継作業を効率的に行うことができる。
【発明を実施するための最良の形態】
【００２０】
以下、本発明の好適な実施形態について図面を参照しながら説明する。図１は本発明の一実施形態に係る自動ワインダが備える巻取ユニット１０の概略的な構成を示した正面図である。図２は巻取ユニット１０の側面図である。
【００２１】
図１及び図２に示す巻取ユニット１０は、給糸ボビン２１から解舒される糸２０をトラバースさせながら巻取ボビン２２に巻き付けて、所定長で所定形状のパッケージ３０とするものである。本実施形態の自動ワインダ（繊維機械）は、並べて配置された複数の巻取ユニット１０と、その並べられた方向の一端に配置された図略の機台制御装置と、を備えている。図２に示すように、それぞれの巻取ユニット１０は、正面視で左右一側に設けられたユニットフレーム１９と、このユニットフレーム１９の側方に設けられた巻取ユニット本体１６と、を備えている。
【００２２】
図１に示すように、前記巻取ユニット本体１６は、給糸部５と、糸継部６と、糸欠陥検出部７と、糸貯留部８と、巻取部９と、を備えている。なお、以下の説明では、糸２０の走行方向上流側及び下流側を単に「上流側」「下流側」と称する場合がある。
【００２３】
給糸部５は、給糸ボビン保持部６０と、糸解舒補助装置１２と、第１テンサ４１と、を備える。
【００２４】
給糸ボビン保持部６０は、糸２０を供給するための給糸ボビン２１を交換してセットできるように構成されている。この給糸ボビン保持部６０には、新たな給糸ボビン２１を当該給糸ボビン保持部６０へ供給するための図略のボビン供給装置が接続されている。このボビン供給装置としては、例えばマガジン式の供給装置やトレイ式の供給装置を採用することができる。
【００２５】
前記給糸部５は、給糸ボビン保持部６０にセットされている給糸ボビン２１から糸２０が全て引き出されて空ボビンとなると、当該空ボビンを給糸ボビン保持部６０から排出する。前記ボビン供給装置は、空ボビンを排出した給糸ボビン保持部６０に対し、新しい給糸ボビン２１を順次供給することができる。
【００２６】
糸解舒補助装置１２は、給糸ボビン２１の芯管に被さる規制部材４０を給糸ボビン２１からの糸の解舒と連動して下降させることにより、給糸ボビン２１からの糸の解舒を補助するものである。規制部材４０は、給糸ボビン２１から解舒された糸の回転と遠心力によって給糸ボビン２１上部に形成されたバルーンに対し接触し、当該バルーンに適切なテンションを付与することによって糸の解舒を補助する。規制部材４０の近傍には、前記給糸ボビン２１のチェース部を検出するための図略のセンサが備えられている。前記センサがチェース部の下降を検出すると、それに追従して前記規制部材４０を例えばエアシリンダ（図略）によって下降させる制御が行われる。
【００２７】
糸解舒補助装置１２の近傍には、糸２０の有無を検知可能なヤーンフィーラ（上流側糸検出センサ）３７が設けられている。このヤーンフィーラ３７は、給糸ボビン２１から引き出される糸２０が無くなったことを検出して、ユニット制御部５０に糸無し検出信号を送信できるように構成されている。
【００２８】
第１テンサ４１は、走行する糸２０に所定のテンションを付与するものである。この第１テンサ４１としては、例えば、固定の櫛歯に対して可動の櫛歯を配置するゲート式のものを用いることができる。可動側の櫛歯は、櫛歯同士が噛み合わせ状態又は解放状態になるように、図略のロータリ式のソレノイドにより回動することができる。なお、この第１テンサはゲート式のものに限らず、例えばディスク式のテンサを使用することもできる。
【００２９】
糸継部６は、前記給糸部５の下流側に配置される。また、糸継部６は、糸端を捕捉して糸継ぎするための糸継ユニット１１を備える。この糸継ユニット１１は、スプライサ装置（糸継手段）１４と、下流側糸案内パイプ（糸捕捉手段）２６と、上流側糸案内パイプ（上流側糸捕捉手段）２５と、を備えている。
【００３０】
スプライサ装置１４は、後述のクリアラ１５が糸欠陥を検出したとき、又は給糸ボビン２１からの解舒中の糸切れ時等に、給糸ボビン２１側の上流側糸と、パッケージ３０側の下流側糸とを糸継ぎするものである。スプライサ装置１４としては、機械式のものや、圧縮空気等の流体を用いるもの等を使用することができる。
【００３１】
スプライサ装置１４の下側及び上側には、給糸ボビン２１側の上流側糸を捕捉して案内する上流側糸案内パイプ２５と、パッケージ３０側の下流側糸を捕捉して案内する下流側糸案内パイプ２６と、が設けられている。
【００３２】
下流側糸案内パイプ２６は、下流側糸を捕捉するための捕捉位置と、捕捉した下流側糸をスプライサ装置１４へ案内するための案内位置と、の間で移動可能となるように構成されている。
【００３３】
この下流側糸案内パイプ２６は、給糸ボビン２１からの糸２０を巻取部９で巻き取っているとき（通常時）は、前記捕捉位置の近傍（図２の実線で示す位置）で待機している。一方、糸継作業時には、下流側糸案内パイプ２６はアキュムレータ６１側の糸（下流側糸）を捕捉した状態で案内位置（図２の鎖線の位置）まで軸３５を中心として回動することで、当該糸を上流側に引き出してスプライサ装置１４に案内できるように構成されている。そして、スプライサ装置１４に下流側糸を受け渡した後は、下流側糸案内パイプ２６はスプライサ装置１４の背面側に回り込むように回動し、通常時の位置に戻ることができる。このように、下流側糸案内パイプ２６は軸３５を中心として３６０度回転可能に構成されており、その先端が側面視で前記スプライサ装置１４を囲む円形ループ状の軌跡（図２を参照）を描くようにして、通常時の待機位置から１回転して再び待機位置へ戻ることができるように構成されている。
【００３４】
上流側糸案内パイプ２５は、上流側糸を捕捉するための捕捉位置（図２の実線の位置）と、捕捉した上流側糸をスプライサ装置１４へ案内するための案内位置（図２の鎖線）と、の間で移動可能となるように構成されている。この上流側糸案内パイプ２５は、軸３３を中心としてスプライサ装置１４の正面側で所定の角度範囲で往復回動可能に取り付けられている。
【００３５】
上流側糸案内パイプ２５の先端には吸引口３２が形成され、同様に下流側糸案内パイプ２６の先端にも吸引口３４が形成されている。上流側糸案内パイプ２５及び下流側糸案内パイプ２６には適宜の負圧源がそれぞれ接続されており、前記吸引口３２及び吸引口３４に吸引流を作用させることができる。
【００３６】
糸欠陥検出部７は、前記糸継部６の下流側に配置される。この糸欠陥検出部７は、走行する糸２０の太さを監視するクリアラ（糸欠陥検出器）１５を備えている。
【００３７】
クリアラ１５は適宜のセンサを備えており、このセンサからの信号をアナライザ５２で処理することで、スラブ等の糸欠陥を検出可能に構成されている。なお、前記クリアラ１５は、糸２０の走行速度を検知するセンサ、及び、単に糸２０の有無を検知するセンサとしても機能させることができる。
【００３８】
クリアラ１５の近傍には、当該クリアラ１５が糸欠陥を検出したときに糸を切断するためのカッタ（糸切断手段）１８が配置されている。また、クリアラ１５の下流側には、走行中の糸にワックス付けをするためのワキシング装置１７が配置されている。更に、ワキシング装置１７の下流側には図略の吸引部が備えられている。この吸引部は適宜の負圧源に接続され、ワックスの滓や糸屑等を吸引除去することができる。
【００３９】
糸貯留部８は、前記糸欠陥検出部７の下流側に配置される。また、糸貯留部８は、給糸ボビン２１から解舒された糸２０を貯留可能なアキュムレータ（糸貯留装置）６１を備えている。給糸ボビン２１から解舒された糸２０はアキュムレータ６１に貯留され、その後、アキュムレータ６１から引き出されてパッケージ３０に巻き取られる。
【００４０】
前記アキュムレータ６１は、貯留した糸２０を上流側及び下流側の両方に同時に引き出すことができるように構成されている。この構成により、貯留されている糸２０をパッケージ３０に巻き取らせるのと並行して、給糸ボビン２１側にも糸２０を引き出して糸継作業を行うことができる。なお、アキュムレータ６１の構成の詳細については後述する。
【００４１】
巻取部９は、前記糸貯留部８の下流側に配置される。また、巻取部９は、巻取ボビン２２を保持可能に構成されたクレードル２３と、糸２０をトラバースさせるとともに前記巻取ボビン２２を回転させるための巻取ドラム（綾振ドラム）２４と、第２テンサ４２と、を備える。
【００４２】
クレードル２３は巻取ドラム２４に対し近接又は離間する方向に揺動可能に構成されており、これによって、糸２０の巻取りに伴うパッケージ３０の径の増大を吸収することができる。前記巻取ドラム２４の外周面には螺旋状の綾振溝２７が形成されており、この綾振溝２７によって糸２０がトラバースされる。これにより、所定の巻幅のパッケージ３０を形成することができる。
【００４３】
第２テンサ４２はアキュムレータ６１の下流側に配置されており、アキュムレータ６１から糸２０が解舒される際に発生するテンションを制御するものである。これによって、アキュムレータ６１から引き出された糸は適宜のテンションが付与された状態で巻取ボビン２２に巻き取られることになる。この第２テンサ４２としては第１テンサ４１と同様に、固定の櫛歯に対して可動の櫛歯を配置するゲート式のものや、ディスク式のものを用いることができる。
【００４４】
巻取ボビン２２は、当該巻取ボビン２２に対向して配置される巻取ドラム２４が回転駆動することにより駆動される。この巻取ドラム２４はドラム駆動モータ５３の出力軸に連結されており、このドラム駆動モータ５３の作動はモータ制御部５４により制御される。このモータ制御部５４は、ユニット制御部５０からの運転信号を受けて前記ドラム駆動モータ５３を運転及び停止させる制御を行うように構成している。
【００４５】
次に図３を参照してアキュムレータ６１について説明する。図３は、アキュムレータ６１の概略的な構成を示す模式断面図である。図３に示すように、アキュムレータ６１は、回転軸ケーシング７０と、貯留部７１と、糸案内部７２と、を備える。また、前記回転軸ケーシング７０は、上方が開放された円筒状の筒部７８と、この筒部７８の開放側端部に形成された鍔部７９と、を備えている。
【００４６】
前記貯留部７１は、前記鍔部７９の上方に配置されている。この貯留部７１は、円板状に形成される支持板８１と、この支持板８１から上方に突出する複数のロッド部材８２と、この複数のロッド部材８２の先端部分が接続される円板状の取付板８３と、を備える。また、貯留部７１は、前記支持板８１と前記鍔部７９との間に隙間を形成するように配置されており、この隙間の内部を後述の貯留ガイドアーム７５が回転できるように構成されている。
【００４７】
支持板８１は水平に配置されるとともに、この支持板８１の上面に、複数のロッド部材８２が円周上に等間隔で並べて配置されている。前記貯留部７１は、これらのロッド部材８２によって略円筒形状を形成するように構成されている。この複数のロッド部材８２で構成される略円筒形状の貯留部７１の外周部分に糸２０を巻き回すことによって、糸２０が貯留部７１に貯留されることになる。
【００４８】
糸案内部７２は、前記回転軸ケーシング７０の内部に配置されている。回転軸ケーシング７０において、前記筒部７８の下部（貯留部７１と反対側の端部）には導入孔（導入案内部）８０が形成されており、給糸ボビン２１から引き出された糸２０は前記導入孔８０から糸案内部７２へ導かれるようになっている。
【００４９】
前記筒部７８の内部には回転軸７３が配置され、この回転軸７３は、前記回転軸ケーシング７０及び貯留部７１に対して相対回転可能に支持されている。この回転軸７３と前記筒部７８の間にはサーボモータ（糸貯留駆動部）５５が組み込まれており、回転軸７３を正転及び逆転させることができる。また、この回転軸７３の中心には、軸孔状の糸通路７４が形成されている。
【００５０】
この回転軸７３の一端（前記導入孔８０と反対側の端部）には、円筒状に形成される貯留ガイドアーム（巻付手段）７５が固定されている。この貯留ガイドアーム７５は、上向きに若干傾斜しながら、回転軸ケーシング７０（鍔部７９）と支持板８１との隙間を通過するようにして径方向に延び、その先端部分の一部が回転軸ケーシング７０より若干飛び出すように構成されている。この貯留ガイドアーム７５は回転軸７３と一体的に回転するように構成される。また、貯留ガイドアーム７５の内部は前記糸通路７４と接続されている。
【００５１】
以上の構成において、糸案内部７２の導入孔８０から回転軸ケーシング７０内に導かれた糸２０は、糸通路７４及び貯留ガイドアーム７５の内部を通って当該貯留ガイドアーム７５の先端から排出されることで、前記貯留部７１の側面部分に誘導される。従って、前記サーボモータ５５を正方向に駆動すると、貯留ガイドアーム７５が回転軸７３とともに回転し、これによって前記側面部分に糸２０が巻き回されることになる。また、アキュムレータ６１から上流側に糸２０を戻すときには、サーボモータ５５をニュートラル（フリー回転可能）な状態とし、下流側糸案内パイプ２６が、下流側糸端を吸引捕捉した状態で下方に回転することによって、糸２０を上流側に引き出す。このとき、糸２０の引き出しに伴って貯留ガイドアーム７５が回転軸７３とともに糸を引き出す方向に回転し、サーボモータ５５は、糸２０を糸プール部７１に巻き取る駆動方向に対して反対方向に逆回転させられる。
【００５２】
前記貯留部７１において複数配置されるロッド部材８２のそれぞれは、支持板８１側の端部から取付板８３側の端部へ近づくに従って貯留部７１の内側方向へ傾斜するように配置されている。糸２０には前記第１テンサ４１によって一定のテンションが付与されているので、前記ロッド部材８２の傾斜によって、貯留部７１に巻き付けられた糸は上方に滑るように自然に移動する。従って、前記貯留ガイドアーム７５によって糸２０が連続して巻き付けられると、前記傾斜部分に巻き取られた糸が上方へと移動していくので、ロッド部材８２で構成される前記側面部分には糸２０が螺旋状に整列した状態で貯留されることになる。
【００５３】
なお、本実施形態では貯留ガイドアーム７５の駆動部（糸貯留駆動部）としてサーボモータ５５が使用されているので、貯留ガイドアーム７５の回転の急停止又は加減速等を精密に行うことができる。これによって、貯留部７１から糸２０を上流側へ引き出す場合の引出量やそのタイミング等を正確に制御でき、糸継作業をよりスムーズに行うことができる。
【００５４】
図１に示すように、巻取ユニット１０は、貯留部７１の上部に配置される第１貯留センサ７６と、貯留部７１の下部に配置される第２貯留センサ７７と、を備えている。この２つの貯留センサ（糸貯留量検出手段）７６，７７は非接触型の光学センサ等で構成されており、それぞれがユニット制御部５０に電気的に接続されている。
【００５５】
第１貯留センサ７６は、貯留部７１を構成するロッド部材８２の上端側に巻き付けられた糸を検出できるように貯留部７１の上端側に配置され、アキュムレータ６１の最大貯留状態を検知する。また、第２貯留センサ７７は、ロッド部材８２の下端側に巻かれた糸を検出できるように貯留部７１の下流側に配置され、アキュムレータ６１の糸貯留不足を検知する。ユニット制御部５０は、第１貯留センサ７６及び第２貯留センサ７７からの糸検出信号に基づいて、サーボモータ５５の回転速度（貯留部７１への糸２０の供給速度）を制御する。これによって、アキュムレータ６１の糸貯留量を過不足が生じないように調節することができる。
【００５６】
なお、アキュムレータ６１において糸２０が貯留部７１に巻き付けられる速度（換言すれば、貯留部７１への糸供給速度）は、糸の巻取を開始した時点では、時間とともに増加するパッケージ３０の糸巻取速度と等しい速度又はそれよりも速い速度になるように制御される。そして、巻取開始から所定時間が過ぎ、糸継作業時に必要な糸量がアキュムレータ６１に貯留されたときには、パッケージ３０の糸巻取速度と等しい速度で糸を貯留部７１に巻き付け、アキュムレータ６１に貯留された糸量を維持させるように制御される。なお、糸継作業時に必要な糸量とは、後述するスプライサ装置１４での糸継作業のためにアキュムレータ６１から上流側へ引き出される糸量に、当該糸継作業と並行して行われるパッケージ３０への巻取のためにアキュムレータ６１から下流側へ引き出される糸量を加算したものである。貯留部７１においては、この必要な糸量以上の糸を貯留した状態を常に維持することが好ましい。
【００５７】
前記アキュムレータ６１の貯留部７１から解舒された糸２０は、巻取ドラム２４により駆動されるパッケージ３０に巻き取られる。そして、このときに第２テンサ４２が糸２０へ付与するテンションは、ユニット制御部５０により巻取速度に応じて制御される。
【００５８】
次に、図４及び図５を参照して、下流側糸案内パイプ２６の位置の制御について説明する。図４は、待機位置の下流側糸案内パイプ２６とアキュムレータ６１との位置関係を詳細に示す正面側からの斜視図である。図５は、糸継作業時の下流側糸案内パイプ２６及び上流側糸案内パイプ２５の位置関係を示した正面図である。なお、本明細書において「待機位置」とは、糸継作業が開始されるまでの通常の巻取作業において下流側糸案内パイプ２６が保持されている位置をいう。
【００５９】
下流側糸案内パイプ２６が待機位置に保持されているときは、図４に示すように、その先端部がアキュムレータ６１の筒部７８の下方近傍に位置している。下流側糸案内パイプ２６は、走行する糸２０に対して装置の背面側で待機しており、糸継作業時には正面側へ倒れるように下方回動することで、糸２０を捕捉してスプライサ装置１４まで案内する。アキュムレータ６１と、クリアラ１５との間で糸端を捕捉するように捕捉位置が設定されているので、糸端がアキュムレータ６１内部に入り込んでしまう前に糸の捕捉をすることができる。
【００６０】
下流側糸案内パイプ２６の先端部には、クランプ部６５が取り付けられている。クランプ部６５はカバー状に形成されており、下流側糸案内パイプ２６の先端部を囲うように下流側糸案内パイプ２６に装着されている。また、クランプ部６５には、下流側糸案内パイプ２６の先端面に密着して吸引口３４を塞ぐことが可能なクランプ壁が形成されている。
【００６１】
クランプ部６５は下流側糸案内パイプ２６に回動可能に支持されており、前記クランプ壁が下流側糸案内パイプ２６の先端面に密着して吸引口３４を塞ぐ閉鎖位置と、吸引口３４を開放する開放位置と、の間で切り替えることができる。このクランプ部６５には図略の付勢バネが取り付けられており、この付勢バネは前記クランプ部６５を閉鎖位置側へ常時付勢している。
【００６２】
図４に示すように、アキュムレータ６１の筒部７８の下部には、板状に形成されるカム部６７が支持棒を介して取り付けられている。また、前記クランプ部６５には凸部６６が形成されており、この凸部６６が前記カム部６７に接触して押されることで、クランプ部６５が閉鎖位置から開放位置に切り替わるように構成されている。
【００６３】
この構成で、下流側糸案内パイプ２６が待機位置にあるとき、凸部６６とカム部６７とは離間している。そして、この待機位置から下流側糸案内パイプ２６が装置正面側へ回動し、その先端が糸２０に近づくのとほぼ同時に、凸部６６がカム部６７に接触し、クランプ部６５が開放位置側に押されて吸引口３４が開放される。なお、待機位置において前記凸部６６と前記カム部６７とを最初から接触させ、常に吸引口３４を開放させる構成とすることもできる。
【００６４】
次に、クリアラ１５が糸欠陥を検出したときの糸継作業について説明する。クリアラ１５は、糸太さの監視により糸欠陥を検出すると、ユニット制御部５０に糸欠陥検出信号を送信する。この糸欠陥検出信号に基づき、前記ユニット制御部５０は前記カッタ１８を操作して、糸２０を切断する。同時にユニット制御部５０は、アキュムレータ６１のサーボモータ５５を停止させることにより、貯留ガイドアーム７５の回転を停止させる。これにより、下流側糸の糸端は、アキュムレータ６１の導入孔８０より下方で停止させられる。
【００６５】
次にユニット制御部５０は、前記待機位置で保持されていた下流側糸案内パイプ２６を、捕捉位置を経由して図２の鎖線で示す案内位置まで下方回動させる。これによって、クリアラ１５によって検出された糸欠陥の部分が貯留部７１から解舒されて、アキュムレータ６１より上流側へ戻される。
【００６６】
すると、下流側糸案内パイプ２６が捕捉位置へ移動する直前に、アキュムレータ６１に配置されたカム部６７とクランプ部６５の凸部６６とが接触し、吸引口３４が開放される。これによって吸引口３４の近傍に吸引流が作用するので、導入孔８０から垂れ下がった状態の糸端が吸引口３４に吸引捕捉される。下流側糸案内パイプ２６が更に回動し、捕捉位置を離れるのとほぼ同時に、カム部６７による凸部６６の押圧が解除され、クランプ部６５は前記付勢バネによって再び閉鎖位置に戻る。このとき、糸端の一部が吸引口３４に吸い込まれているので、下流側糸案内パイプ２６の先端部分とクランプ部６５とに糸端が挟まれた状態となる。
【００６７】
上記に示したように、下流側糸案内パイプ２６が捕捉位置を通過するのに連動して、クランプ部６５が閉鎖位置から開放位置へ切り替わって再び閉鎖位置へと戻る一連の動作が行われる。従って、下流側糸案内パイプ２６を捕捉位置で停止させる制御は必ずしも必要でなく、捕捉位置を通過する瞬間に糸を素早く捕捉して、ノンストップでスプライサ装置１４まで下流側糸を案内することができる。なお、吸引捕捉を確実に行うために、捕捉位置でいったん停止するように制御することも可能である。
【００６８】
糸端をクランプした下流側糸案内パイプ２６は、図２において鎖線で示す案内位置まで回動し、いったん停止する。次に、上流側糸案内パイプ２５が待機位置で上流側糸を吸引捕捉し、図５に鎖線で示す案内位置まで回動する。この回動によって、スプライサ装置１４に上流側糸が案内される。
【００６９】
上流側糸案内パイプ２５及び下流側糸案内パイプ２６によって上流側の糸端と下流側の糸端とがスプライサ装置１４に案内されると、スプライサ装置１４によって糸継作業が開始される。糸欠陥を含む下流側糸の糸端部は、スプライサ装置１４のカッタにより切断される。
【００７０】
スプライサ装置１４に下流側糸を引き渡した下流側糸案内パイプ２６は、図２の鎖線で示す案内位置からスプライサ装置１４の背面側に回り込むように回動して、待機位置へと戻る。この際、スプライサ装置１４下方に配置された図略のカム部によってクランプ部６５が開放位置へ移動するので、クランプ部６５によるニップが解除され、切断された糸端が下流側糸案内パイプ２６内に吸引除去される。
【００７１】
スプライサ装置１４による糸継作業の完了後は、下流側糸案内パイプ２６が待機位置へ戻るのを待たずに、アキュムレータ６１への糸２０の貯留が再開される。この結果、スプライサ装置１４の正面側に糸２０の走行経路が形成される。下流側糸案内パイプ２６はスプライサ装置１４の背面側に回り込むように回動するので、スプライサ装置１４の正面側に走行する糸２０に干渉することなくスムーズに待機位置へと戻ることができる。一方、上流側糸案内パイプ２５は、スプライサ装置１４に上流側糸を引き渡した後、スプライサ装置１４の正面側を通って待機位置へと戻る。
【００７２】
上記の糸継作業はパッケージ３０への糸２０の巻取作業と並行して行われるので、巻取ドラム２４を停止及び逆転させることなく糸欠陥を除去することができる。糸継作業が終了すると、サーボモータ５５は正転を開始してアキュムレータ６１への糸の供給を再開する。前記糸継作業によって消費された糸量を回復させるため、貯留部７１への糸２０の供給速度は、パッケージ３０の巻取速度よりも大きくなるよう制御される。所定量の糸が貯留されると、ユニット制御部５０はアキュムレータ６１への糸の供給速度をパッケージ３０の糸巻取速度と等しい速度に戻す。
【００７３】
次に、給糸ボビン２１の交換時の糸継動作を説明する。給糸ボビン２１から供給される糸が無くなったことを前記ヤーンフィーラ３７が検出すると、当該ヤーンフィーラ３７は糸無し検出信号をユニット制御部５０に送信する。この糸無し検出信号を受信したユニット制御部５０は、アキュムレータ６１への糸の供給を停止させる。このとき、サーボモータ５５を停止させるタイミングを調節して糸端が所定の位置に止まるようにすると、糸の捕捉が容易になり、更に糸の無駄を抑制できて好ましい。
【００７４】
そして、ユニット制御部５０は、下流側糸案内パイプ２６を回動させてアキュムレータ６１入口近傍の糸２０を吸引捕捉するとともに、この状態で前記案内位置まで下方回動させることにより、スプライサ装置１４に下流側糸を導く。下流側糸をスプライサ装置１４に導いた後は、下流側糸案内パイプ２６はスプライサ装置１４の背面側に回り込んで待機位置へと回動する。なお、この下流側糸案内パイプ２６の回動については糸欠陥検出時と同様であるので、詳細な説明は省略する。
【００７５】
前記ボビン供給装置によって新しい給糸ボビン２１が供給されると、その新しい給糸ボビン２１側の糸は、上流側糸案内パイプ２５によってスプライサ装置１４まで導かれる。そして、下流側糸と上流側糸とをスプライサ装置１４で糸継ぎした後、サーボモータ５５を制御して、糸２０が貯留される方向に貯留ガイドアーム７５を回転させる。
【００７６】
糸継作業はパッケージ３０への糸の巻取作業と並行して行われるので、巻取ドラム２４を停止及び逆転させることなく、給糸ボビン２１の交換を行うことができる。糸継作業が終了すると、サーボモータ５５は正転を開始して、新しい給糸ボビン２１の糸２０をアキュムレータ６１へ供給する。
【００７７】
以上に示すように、本実施形態の自動ワインダは、巻取部９と、アキュムレータ６１と、スプライサ装置１４と、下流側糸案内パイプ２６と、を備える。巻取部９は糸を巻き取る。アキュムレータ６１は、巻取部９に巻き取られる前の糸を貯留できる。スプライサ装置１４は、糸継作業を行うために、アキュムレータ６１の上流側に配置される。下流側糸案内パイプ２６は、スプライサ装置１４より下流側の糸端を捕捉してスプライサ装置１４に案内する。この下流側糸案内パイプ２６は、前記糸端を捕捉する捕捉位置と、捕捉した糸端をスプライサ装置１４に案内する案内位置と、の間で移動可能に構成されるとともに、通常時は前記捕捉位置の近傍で待機する。そして、自動ワインダは、前記捕捉位置の下流側糸案内パイプ２６によって、スプライサ装置１４とアキュムレータ６１との間に位置する糸を捕捉可能に構成されている。
【００７８】
これにより、糸継作業が必要になった場合、下流側糸案内パイプ２６が捕捉位置へ短時間で移動し、糸の捕捉を素早く開始することができる。従って、糸継作業のサイクルタイムを短縮することができ、巻取ユニット１０が生産するパッケージ３０の生産効率を向上させることができる。また、巻取部９による巻取りを継続しながら、アキュムレータ６１から糸を引き出して糸継作業を行うことができる。また、糸継作業に必要な糸は巻取部９ではなくアキュムレータ６１から引き出されるので、従来の構成のように、サクションマウスによってパッケージの表面が引っ張られて綾乱れが生じたり、パッケージに端面落ちが生じたりすることもない。このように、糸継作業がパッケージ３０の巻取に与える悪影響を抑制し、又はゼロにすることができる。更に、巻取部９では連続的に巻取作業が行われるので、パッケージの巻状態を一定とすることができ、高品質なパッケージを形成することができる。
【００７９】
また、本実施形態において、自動ワインダが備える巻取部９は、巻取ドラム２４の綾振溝２７によって糸を綾振りしながら巻き取るように構成されている。下流側糸案内パイプ２６は、糸を吸引捕捉するための吸引口３４を有する。前記吸引口３４は、前記巻取部９の綾振幅より小さい幅で形成される。
【００８０】
これにより、吸引口３４を従来のサクションマウスのようにパッケージ３０の巻幅全体を含むように幅広状に構成する必要がなくなるので、下流側糸案内パイプ２６をコンパクトに構成することができる。また、吸引口３４を小さくできるので、吸引捕捉に必要な圧力を低減して省エネルギーを実現することができる。
【００８１】
また、本実施形態において、前記アキュムレータ６１は、導入される糸の経路を案内するための導入孔８０を有する。前記捕捉位置は、導入孔８０近傍である。糸継作業時においては、前記導入孔８０の近傍の糸を下流側糸案内パイプ２６の吸引口３４が捕捉する。
【００８２】
これにより、アキュムレータ６１に導入される糸２０の経路を導入孔８０が案内（規制）することによって、糸継作業時では、アキュムレータ６１の導入孔８０の下方の狭い領域に糸端を存在させることができる。従って、小型の吸引口３４でも糸端の捕捉を容易に行うことができ、捕捉成功率を向上させることができる。
【００８３】
また、本実施形態の自動ワインダが備える下流側糸案内パイプ２６は、図２に示すように、その先端がスプライサ装置１４を囲むループ状の軌跡を描くようにして、前記捕捉位置から前記案内位置を経由して前記捕捉位置又はその近傍に戻るように構成されている。
【００８４】
これにより、下流側糸案内パイプ２６は糸をスプライサ装置１４に案内した後、スプライサ装置１４の背面側を回り込むように案内位置から通常時の位置に戻ることができる。従って、糸継手段による糸継ぎ後も、糸と干渉することなく下流側糸案内パイプ２６を通常時の位置に戻すことができる。
【００８５】
また、本実施形態の自動ワインダが備える下流側糸案内パイプ２６は、３６０度回転可能に構成される。
【００８６】
これにより、下流側糸案内パイプ２６を回転させる簡易な構成で、捕捉位置から案内位置を経由して捕捉位置の近傍まで糸と干渉することなく移動できる構成を実現できる。
【００８７】
また、本実施形態の自動ワインダは、スプライサ装置１４の上流側の糸端を捕捉して前記スプライサ装置１４に案内するための上流側糸案内パイプ２５を備える。
【００８８】
これにより、下流側の糸端を下流側糸案内パイプ２６によって迅速に捕捉してスプライサ装置１４に案内するとともに、上流側の糸端を上流側糸案内パイプ２５によって捕捉してスプライサ装置１４に案内することができる。従って、糸継作業を迅速に行うことができる。
【００８９】
以上に本発明の好適な実施形態を説明したが、上記の構成は更に以下のように変更することができる。
【００９０】
上記実施形態では、下流側糸案内パイプ２６は、アキュムレータ６１に糸が導入される部分の背面側で待機している。しかしながら、アキュムレータ６１近傍であれば、下流側糸案内パイプ２６の待機位置を適宜変更することができる。例えば、糸を捕捉する捕捉位置で下流側糸案内パイプ２６を待機させることができる。これにより、糸継作業が開始されて糸を捕捉するまでの時間を短縮することができるので、糸継作業を一層効率化できる。
【００９１】
また、上記実施形態の構成に代えて、給糸ボビン２１の糸が無くなったことをヤーンフィーラ３７が検知した場合に、アキュムレータ６１への糸の供給を停止する代わりに供給速度を減速させる構成に変更することができる。即ち、糸が完全に停止しなくても、アキュムレータ６１に糸端が完全に引き込まれる前に下流側糸案内パイプ２６で捕捉することができれば、糸継作業のために糸をスプライサ装置１４まで案内することが可能である。これにより、給糸ボビン２１の糸２０が無くなったときに、下流側ではパッケージ３０の巻取を継続しながら、アキュムレータ６１よりも上流の位置で糸端を容易に捕捉して新しい給糸ボビンの糸と糸継ぎすることができる。
【００９２】
また、上記実施形態は、糸欠陥検出時において糸の切断はアキュムレータ６１から糸を引き出した直後に行われる構成であるが、糸欠陥部分をアキュムレータ６１から引き出した後の任意のタイミングで糸を切断するように変更することができる。
【００９３】
また、本発明は、自動ワインダに限定されず、他の各種の繊維機械に適用することができる。例えば、スライバから糸を紡績して所定長のパッケージを形成する紡績機に本発明を適用することができる。
【００９４】
本発明を適用した紡績機としては、例えば以下のような構成が考えられる。即ち、この紡績機は、ケーシングと、複数の紡績ユニットと、ブロアボックスと、原動機ボックスとを備える。各紡績ユニットは、ドラフト装置と、紡績装置と、糸送り装置と、糸貯留装置と、巻取装置と、を主要な構成として備える。ドラフト装置は紡績機本体のケーシングの上端近傍に設けられており、このドラフト装置から送られてくる繊維束を紡績装置で紡績する。紡績装置によって紡績された糸は糸送り装置で下方の糸貯留装置へ送られ、糸貯留装置にいったん貯留される。糸貯留装置に貯留された糸は巻取装置によって更にパッケージに巻き取られる。また、紡績装置と、糸貯留装置の間には糸の欠陥を検出して糸切断を行い、糸欠陥部分を除去するためのクリアラが備えられる。
【００９５】
そして、紡績機は、糸継作業を行うための糸継手段と、糸継手段の上流側の糸を案内するための上流側糸案内手段と、糸継手段の下流側の糸を案内するための下流側糸案内手段と、を備える。前記下流側糸捕捉手段は前記糸貯留装置近傍を待機位置とする。この構成で、糸欠陥の検出やスライバの交換のために糸継作業の必要が生じた場合には、糸貯留装置側の糸端を前記下流側糸捕捉手段で捕捉して糸継手段に案内するとともに、紡績装置側の糸端を上流側糸捕捉手段で捕捉して糸継手段に案内する。そして、案内された上流側の糸端と下流側の糸端とを糸継手段で糸継ぎする。この際、巻取作業は停止することなく継続されるので紡績機の生産性が向上する。
【図面の簡単な説明】
【００９６】
【図１】本発明の一実施形態に係る自動ワインダが備える巻取ユニットの概略的な構成を示した正面図。
【図２】巻取ユニットの概略的な構成を示した側面図。
【図３】アキュムレータの様子を示した模式断面図。
【図４】待機位置の下流側糸案内パイプとアキュムレータとの位置関係を示した斜視図。
【図５】糸継作業時の下流側糸案内パイプ及び上流側糸案内パイプの位置関係を示した正面図。
【符号の説明】
【００９７】
１０  巻取ユニット
１４  スプライサ装置（糸継手段）
２０  糸
２１  給糸ボビン
２５  上流側糸案内パイプ（上流側糸捕捉手段）
２６  下流側糸案内パイプ（糸捕捉手段）
３０  パッケージ
６１  アキュムレータ（糸貯留装置）
８０  導入孔（導入案内部）
【図１】
2010047360.tif 000003
【図２】
2010047360.tif 000004
【図３】
2010047360.tif 000005
【図４】
2010047360.tif 000006
【図５】
2010047360.tif 000007